(57)【特許請求の範囲】
【請求項１】
同時に２桁以上の文字表示が可能な第１の表示部と、
前記第１の表示部における１文字当りの縦、横寸法に対してともに大きく表示する第２の表示部とを備え、
入力手段から入力された文字は第１の表示時間だけ、または入力手段から次の文字が入力されるまでの間前記第２の表示部に表示された後に前記第１の表示部の最下位桁に移され第２の表示時間ごとに順次上位桁に移行して既表示文字の１つ下位の桁まで移行することを特徴とする表示装置。
【請求項２】
入力手段から入力された文字の前記第１の表示部内の移行時にこの文字と同期してこの文字の周辺に所定の図形が表示されることを特徴とする請求項１記載の表示装置。
【請求項３】
入力手段から入力された文字の前記第１の表示部内の移行時にこの文字の色を変えることを特徴とする請求項１記載の表示装置。
【請求項４】
前記第１の表示部の表示可能桁数を超えた入力があったときはその入力によって既表示の文字がそれぞれ１桁ずつ最上位桁側へ移送されて表示されることを特徴とする請求項１記載の表示装置。
【発明の詳細な説明】
【０００１】
【発明の属する技術分野】
本発明は電子機器において入力された文字または記号を使用者に示すための表示装置に関する。
【０００２】
【従来の技術】
近年、音響機器、ビデオ機器等において使用者がキーボード等の入力手段によって、たとえば音楽や映像の題名や出演者、製作者等の名前を入力してこれを記録媒体に記録できるものが多くなっている。図７はたとえばミニディスクにおいて曲名や演奏者名を入力手段より「Ａ，Ｂ，Ｃ，ｄ，ｅ，（スペース），＃，１，−，４」の順に入力し、その文字または記号を複数の桁に上位の桁から表示していく従来の表示装置の表示形態を示す説明図である。
【０００３】
【発明が解決しようとする課題】
しかし、このような従来の表示装置における表示は複数の桁に文字または記号（以下「文字」で代表する）を表示するために１桁の表示部分の大きさが限られており、入力が赤外線リモートコントローラ等によって遠くから行えるようになると、入力中の文字が小さくて確認し難くなるという問題点がある。本発明は上記従来の課題を解決し、さらに操作時に面白い表示効果を得ることができる新規な表示装置を提供することを目的とする。
【０００４】
【課題を解決するための手段】
上記課題を解決するための本発明の表示装置の第１の手段は、同時に２桁以上の文字表示が可能な第１の表示部と、前記第１の表示部における１文字当りの縦、横寸法に対してともに大きく表示する第２の表示部とを備え、入力手段から入力された文字は第１の表示時間だけ、または入力手段から次の文字が入力されるまでの間前記第２の表示部に表示された後に前記第１の表示部の最下位桁に移され第２の表示時間ごとに順次上位桁に移行して既表示文字の１つ下位の桁まで移行することを特徴とする構成である。
【０００５】
このような構成によって本体から離れた入力手段で入力しているときも入力された文字が拡大されて第２の表示部に表示されるので、遠くからでも今入力したのが何であったかが明瞭に視認され、安心して入力できるように作用するものである。
また本発明の表示装置の第２の手段は、第１の手段において、入力手段から入力された文字の前記第１の表示部内の移行時にこの文字と同期してこの文字の周辺に所定の図形が表示されることを特徴とするもので、また第３の手段は、同じく第１の手段において、入力手段から入力された文字の前記第１の表示部内の移行時にこの文字の色を変えることを特徴とするものであり、このような構成によって入力作業が楽しく行え、商品価値を高めることができる。
【０００６】
そして第４の手段は、上記第１の手段において、前記第１の表示部の表示可能桁数を超えた入力があったときはその入力によって既表示の文字がそれぞれ１桁ずつ最上位桁側へ移送されて表示されることを特徴とするもので、表示装置の大きさに制約がある場合でも必要な入力内容を表示することができる。
【０００７】
【発明の実施の形態】
以下図面を用いて本発明の表示装置の一実施形態についてミニディスク記録再生機に適用した場合を例に詳細に説明する。図１は本発明の表示装置を装着した本体機器とそれをリモートコントロールするためのシステム構成図、図２は同じくそのリモートコントローラの操作部の概要図、図３は本発明の表示装置の表示器の正面図、図４（ａ）〜（ｆ）は同じくその表示状況説明図、図５、図６は同じく文字入力と表示状況を示すフローチャートである。
【０００８】
図１においてミニディスク記録再生機本体１のマイクロコンピュータ２は本体機器１に設けられた操作キー３またはリモートコントロール入力センサ４を介するリモートコントローラ５の指示を受け付け、直接にまたは図示しないドライバを介して表示器６を制御する。
リモートコントローラ５の蓋７の上面には図２（ａ）のように機器本体を操作する操作キーが配置され、蓋７を開くと本体８にはさらに図２（ｂ）のように「文字入力」キー２０、「英数字・記号」キー２１、各種の文字または記号を入力するキー２２、カーソル移動キー２３，２４、「カタカナ」キー２５、入力した文字列を記憶媒体に記憶させるための実行キー２６等が配置されている。
【０００９】
表示器６には図３のように曲名や演奏者名等を表示する表示部１０が例では１０個横方向に並んでおり、仮に最も左のものを最上位桁１１、最も右のものを最下位桁１２とする。そしてその右側に表示部１０に表示される文字に対して縦、横ともに寸法の大きい文字が１字だけ表示できる大窓の表示部１３を有する。
以下、本発明の表示装置の表示と、表示させるための動作とを図５、図６のフローチャートとともに説明すると、ステップ３１でリモートコントローラ５の本体８の「文字入力」キー２０を押すとリモートコントローラ５から赤外線で所定の符号列が機器本体１のリモコン入力センサ４に送られ、マイクロコンピュータ２で解読されて文字入力が開始される。以下いずれかのキーが押されるごとにこのような経過でマイクロコンピュータ２は入力を認識する。
【００１０】
ステップ３２で「文字入力」キー２０が押された後の新規入力であると判断され、ステップ３３で台車１５に乗ったカーソルを表示部１０の最上位桁位置に設定し、ステップ３４で表示部１０の最下位桁１２位置の下部に台車１５を設定し、ステップ３５で文字入力を待つ。「英数字・記号」キー２１は押すたびに大文字、小文字が転換され、大文字状態では表示器６に図３における大文字である旨の大文字表示１４が表示される。ステップ３４で文字入力用のキー２２のうちの「Ａ」を押すと、ステップ３６で表示器６の大窓の表示部１３には大文字を示す表示１４とともに大きく「Ａ」が表示される（図４（ａ））。（以下図４では表示１４を省略）この大文字を示す表示はこの例の表示１４に限らずどのような表示でもよい。ステップ３７で表示部１３の表示が第１の表示時間の１秒を経過するとステップ３８で大窓の表示部１３にある入力文字「Ａ」を台車１５上の最下位桁１２に移し（図４（ｂ））、ステップ３９で入力文字「Ａ」と台車１５とを同時に第２の表示時間、たとえば０．２秒ごとに順次表示可能最下位桁１２位置より１桁ずつ最上位桁側へ移動させる（図４（ｃ））。ステップ４０で最上位桁１１位置にはカーソル１６が位置しこの１つ手前の桁まで台車１５に乗った文字「Ａ」がくると（図４（ｄ））、ステップ４１で台車１５上の入力文字「Ａ」をカーソル１６位置に上書きして、ステップ４２で台車１５に乗ったカーソル１６を最下位桁側に１つ移動させる（図４（ｅ））。
【００１１】
ステップ４３で表示可能最大桁数かどうかを判断して、それに達するまでステップ３３からステップ４３までを繰り返す。このようにキー入力を繰り返して図３のようにたとえば「ＡＢＣｄｅ  ＃１−４」のように入力する。英小文字の入力のときは「英数字・記号」のキー２１を再度押すと小文字入力が可能となる。この例では空白も含めて１０桁まで入力し表示が可能である。ステップ４３で図３のように表示可能最大桁数に達すると、ステップ４４で台車とその上に載った文字とカーソルとを最下位桁に設定したままとなる。そうして次の文字入力「５」があったときは台車とカーソルの位置は固定のまま、表示部１３の表示文字「５」がその上に転送して表示され、先に入力した文字はそれぞれ１つずつ前詰めに移動されて表示され、最上位桁の文字（この場合「Ａ」）は表示部分からは追い出される（図４（ｆ））。表示されなくても記録媒体に記録可能な文字数であれば追加の文字入力は可能である。ステップ４５では文字入力終了か否かをチェックし、「実行」キー２６が押されると文字入力の終了と見なしてステップ４６で記録媒体に記録して終了する。
【００１２】
ステップ３２で新規入力でない場合、たとえば文字入力中にカーソル移動キー２３、２４が押されたとき、または既に記録媒体に記録された文字列を呼び出して表示器６の表示部１０に表示している場合、ステップ４７でカーソル位置が入力済み文字の最下位桁より右側にあればステップ４８で表示器６の大窓の表示部１３に空白を表示してステップ４２へ行く。ステップ４７でカーソル位置が入力済み文字の最下位桁より右側でなければステップ４９でカーソル位置にある入力済み文字を大窓の表示部１３に表示する。この状態ではカーソル移動キー２３または２４を押すとカーソル１６は台車に乗って移動する。カーソルのある位置でステップ５０で文字入力があれば、ステップ５１で台車に乗ったカーソルの位置で入力文字によって前の文字を上書きして、ステップ５２で台車に乗ったカーソルを自動的に右に１桁移動してステップ４７に戻る。このときは大窓の表示部１３には表示しないが、入力文字をいったん大窓の表示部１３に表示して、この文字を１秒表示してから台車に乗ったカーソル位置に上書きするようにしても差し支えない。
【００１３】
上記は英数字入力の場合であるがカタカナ入力する場合もカタカナキー２５を１回押せばカタカナ入力が可能であり、再度押せばカタカナの拗音などの場合の小文字「ャ、ュ、ョ」等が入力可能で、押すごとにこの切り替えを繰り返す。この実施形態では日本文はカタカナのみであるが、リモートコントローラ５側または機器本体１側のマイクロコンピュータ２に変換機能があれば、ひらかなや漢字を表示・入力することも可能であることはいうまでもない。
【００１４】
なお、実施形態では台車の上に入力文字を載置する例を示したが、台車に限定されず入力文字の周辺に目立つ図形を表示してもよく、またこの図形に着色してもよく、また台車等の代わりに移送中だけ入力文字の色を変えて目立たせてもよい。
また上記実施形態の第１、第２の所定時間は必要に応じて変更すればよく、たとえば第１の所定時間を無限大として、つぎの文字入力があったときに前の入力文字の移送を始めるように変形することも可能である。
【００１５】
本実施形態ではミニディスク記録再生機器に適用した場合を例示したが、このような表示のできる表示装置は映像機器や計測器等の電子機器にも広く適用できることはいうまでもない。
【００１６】
【発明の効果】
以上説明したように本発明の表示装置は、その請求項１の構成によれば、入力文字を大きく表示できるので、リモートコントロールによって離れた所から文字入力する場合でも入力が確実にでき安心感を得られるという有利な効果がある。
【００１７】
また請求項２、３の構成によって入力した文字が本来の表示位置まで移動するときに、あたかも台車によって運ばれるような、または色文字が移動するようなイメージを与える等、入力作業が楽しく行え、商品価値を高められるという効果がある。
さらに請求項４の構成によって表示装置の大きさに制約のある場合にも必要な入力内容を表示することができる。
【図面の簡単な説明】
【図１】本発明の表示装置を装着した本体機器とそれをリモートコントロールするためのシステム構成図
【図２】同じくそのリモートコントローラの操作部の概要図
【図３】本発明の表示装置の表示器の正面図
【図４】同じくその表示状況説明図
【図５】同じく文字入力と表示状況を示すフローチャート
【図６】同じく文字入力と表示状況を示すフローチャート
【図７】従来の表示装置の表示形態の説明図
【符号の説明】
１  機器本体
２  マイクロコンピュータ
４  リモコン入力センサ
５  リモートコントローラ
６  表示器
１０  曲名や演奏者名等を表示する表示部（第１の表示部）
１１  最上位桁
１２  最下位桁
１３  大窓の表示部（第２の表示部）
１５  台車
１６  カーソル
【図１】
0003598841.tif 000002
【図２】
0003598841.tif 000003
【図３】
0003598841.tif 000004
【図４】
0003598841.tif 000005
【図５】
0003598841.tif 000006
【図６】
0003598841.tif 000007
【図７】
0003598841.tif 000008